(57)【特許請求の範囲】
【請求項１】
筐体の一部を構成し、前面側が開口する箱形の基体部を備える遊技機の筐体であって、
前記基体部の天面には、貫通穴が形成されており、
前記貫通穴を通して前記基体部の内側から外側に向けて突出可能で、内面側に中空部が形成されたスリーブと、
前記基体部の内側で前記スリーブを上下動自在に保持し、前記中空部に対向する開口部が形成されたスリーブホルダと
を備えることを特徴とする遊技機の筐体。
【請求項２】
請求項１に記載の遊技機の筐体において、
前記スリーブを前記基体部の外側から内側に向けて付勢するバネ部材を備える
ことを特徴とする遊技機の筐体。
【請求項３】
請求項１又は請求項２に記載の遊技機の筐体において、
前記スリーブは、前記貫通穴の周囲の少なくとも一部に当接するフランジ部を備え、
前記スリーブホルダは、
前記基体部に取り付けるための取付け部と、
前記フランジ部をガイドするガイド部と、
前記フランジ部の抜けを防止する抜止め部と
を備えることを特徴とする遊技機の筐体。
【請求項４】
請求項１から請求項３までのいずれか１項に記載の遊技機の筐体において、
前記スリーブホルダは、前記スリーブの先端部が前記基体部の外側に突出しないように保持可能である
ことを特徴とする遊技機の筐体。
【請求項５】
請求項１から請求項４までのいずれか１項に記載の遊技機の筐体において、
前記貫通穴は、前記基体部の天面に複数形成されており、
前記スリーブは、各前記貫通穴のそれぞれに対応して設けられている
ことを特徴とする遊技機の筐体。
【発明の詳細な説明】
【技術分野】
【０００１】
本発明は、筐体の一部を構成し、前面側が開口する箱形の基体部を備える遊技機の筐体に係るものである。そして、詳しくは、遊技店の島設備等に対し、遊技機の基体部を変形等させることなく簡単に取付け及び取外しができるようにし、基体部を容易に再利用できるようにした技術に関するものである。
【背景技術】
【０００２】
遊技機の一種であるスロットマシンの筐体は、前面側が開口する箱形の基体部と、基体部の前面側に設けられ、基体部の開口を覆う開閉自在のフロントマスク部とによって構成されている。そして、スロットマシン（筐体）は、複数台を所定の間隔で並べ、それぞれの基体部をネジや釘等によって島設備等に固定することで設置される。設置されたスロットマシンは、フロントマスク部が基体部の開口を覆った閉状態で遊技に供される。
【０００３】
ここで、近年では、環境問題等に配慮して、スロットマシンを廃棄等する場合であっても、その筐体を再利用するようにしている。そのため、再利用がほとんど不可能な木材ではなく、ステンレス等の金属によって筐体を構成することが行われている。しかし、金属製の基体部をネジや釘等で島設備に固定すると、基体部の変形や破損を生じ、再利用がむずかしくなるという問題がある。
【０００４】
図８は、このような従来のスロットマシンの基体部２１０（筐体）を島設備２００に設置した状態を示す部分断面図である。
図８に示すように、スロットマシンは、島設備２００に収容された基体部２１０（筐体）をネジ２１１で固定して設置されている。具体的には、島設備２００は、基体部２１０（筐体）を収容しやすいように、島設備２００の内面と基体部２１０の天面との間に一定の隙間ができるように配慮されたものとなっている。そして、島設備２００に収容した基体部２１０（筐体）は、その内側からネジ２１１を島設備２００の内面に向けてネジ込むことによって島設備２００に固定される。
【０００５】
ところが、ネジ２１１を島設備２００の内面に向けてネジ込むと、島設備２００の内面と基体部２１０の天面との間に隙間が存在しているため、金属製の基体部２１０が上に向かって湾曲するように変形してしまう。この際、基体部２１０が変形しない範囲でネジ２１１のネジ込みを止めるようにすることもできるが、そうすると、固定に非常に手間取ることとなる。そのため、多くの場合は、スロットマシンを島設備２００に一度ネジ止めして取り付けてしまえば、基体部２１０が変形する。したがって、従来のスロットマシンでは、島設備２００からの基体部２１０（筐体）の取外しや、基体部２１０の再利用がむずかしいものとなっている。
【０００６】
そこで、スロットマシンの基体部の再利用を可能とするための技術が知られている。具体的には、金属製の基体部を島設備に固定するために、ネジや釘等の止着部材と、この止着部材が貫通可能な固定部材（木材又は樹脂等の材料）とを用意する。そして、基体部の少なくとも一側面に開口部を設け、止着部材によって固定部材を開口部に取り付ける。これにより、逆の手順で開口部から固定部材を取り外せば、基体部を再利用できるようになる（例えば、特許文献１参照）。
【特許文献１】特開２００３−２６５７９７号公報
【０００７】
また、スロットマシンの基体部の天面側を島設備に固定するために、固定部材（ネジや釘等）が貫通可能な貫通部材（木製又は樹脂製等の部材）を用いる技術も知られている。そして、基体部に貫通部材を収容し、この貫通部材に固定部材を貫通させて島設備に基体部を固定する。そのため、逆の手順で基体部に収容された貫通部材を取り外せば、基体部を再利用できる（例えば、特許文献２参照）。
【特許文献２】特開２００６−６７４６号公報
【発明の開示】
【発明が解決しようとする課題】
【０００８】
このように、上記の特許文献１及び特許文献２の技術は、スロットマシンの基体部（金属製）を島設備に固定するために、木材等からなる固定部材（貫通部材）を用いている。そして、ネジ等により、固定部材（貫通部材）を介して基体部を島設備に固定している。そのため、ネジ等を用いても、金属製の基体部が変形することはなく、木材等の固定部材（貫通部材）にネジ等の穴ができるだけとなる。しかし、スロットマシンを島設備から取り外すと、基体部の再利用はできるが、一度ネジ等を使用した固定部材（貫通部材）の再利用はむずかしいので、廃棄物が発生してしまう。
【０００９】
したがって、本発明が解決しようとする課題は、スロットマシンの基体部を変形等させることなく簡単に島設備等に取付け及び取外しができるようにするとともに、廃棄物を出さずに、基体部を容易に再利用できるようにすることである。
【課題を解決するための手段】
【００１０】
本発明は、以下の解決手段によって上述の課題を解決する。
請求項１の発明は、筐体の一部を構成し、前面側が開口する箱形の基体部を備える遊技機の筐体であって、前記基体部の天面には、貫通穴が形成されており、前記貫通穴を通して前記基体部の内側から外側に向けて突出可能で、内面側に中空部が形成されたスリーブと、前記基体部の内側で前記スリーブを上下動自在に保持し、前記中空部に対向する開口部が形成されたスリーブホルダとを備えることを特徴とする。
【００１１】
請求項２の発明は、請求項１に記載の遊技機の筐体において、前記スリーブを前記基体部の外側から内側に向けて付勢するバネ部材を備えることを特徴とする。
【００１２】
請求項３の発明は、請求項１又は請求項２に記載の遊技機の筐体において、前記スリーブは、前記貫通穴の周囲の少なくとも一部に当接するフランジ部を備え、前記スリーブホルダは、前記基体部に取り付けるための取付け部と、前記フランジ部をガイドするガイド部と、前記フランジ部の抜けを防止する抜止め部とを備えることを特徴とする。
【００１３】
請求項４の発明は、請求項１から請求項３までのいずれか１項に記載の遊技機の筐体において、前記スリーブホルダは、前記スリーブの先端部が前記基体部の外側に突出しないように保持可能であることを特徴とする。
【００１４】
請求項５の発明は、請求項１から請求項４までのいずれか１項に記載の遊技機の筐体において、前記貫通穴は、前記基体部の天面に複数形成されており、前記スリーブは、各前記貫通穴のそれぞれに対応して設けられていることを特徴とする。
【００１５】
（作用）
上記の発明において、遊技機の筐体は、貫通穴を通して基体部の内側から外側に向けて突出可能で、内面側に中空部が形成されたスリーブと、基体部の内側でスリーブを上下動自在に保持し、中空部に対向する開口部が形成されたスリーブホルダとを備えている。そのため、スリーブホルダの開口部及びスリーブの中空部を通してネジ等を挿入し、島設備等にネジ込めば、ネジ込みにつれて基体部の貫通穴からスリーブが突出する。そして、スリーブが島設備等に当接した状態で、基体部が固定される。したがって、ネジ込みによって基体部を変形等させることなく、筐体を島設備等に取り付けることができる。
【発明の効果】
【００１６】
本発明によれば、スリーブホルダに保持されたスリーブにより、基体部を変形等させずに筐体を島設備等に取付けできる。そのため、基体部の再利用が可能となる。また、筐体の取付けに際して、スリーブは、基体部から突出するだけなので、何度でもくり返して使用できる。
【発明を実施するための最良の形態】
【００１７】
以下、図面を参照して、本発明の実施形態について説明する。
なお、以下の実施形態では、本発明の遊技機の筐体として、図柄を表示したリールを有するスロットマシン１０の筐体を例に挙げて説明する。
【００１８】
図１は、本発明の遊技機の筐体を適用したスロットマシン１０を示す前面側の斜視図である。
また、図２は、図１中、スロットマシン１０のフロントマスク部１２を開放し、基体部１１の内部が見えるように図示した正面図である。
図１及び図２に示すように、スロットマシン１０の筐体は、基体部１１と、基体部１１の前面側に取り付けられた開閉自在のフロントマスク部１２とから構成されている。
【００１９】
ここで、基体部１１は、ステンレス製等の板金を組み立てるとともに、その板金の表面に化粧板を取り付け、前面側が開口する箱形に形成したものであり、スロットマシン１０の筐体の一部を構成する。そして、基体部１１の内部であって、その下方部には、図２に示すように、電源ユニット１０１と、ホッパータンク１０８に貯留されたメダルを払い出すメダル払出し装置１０２とが設けられている。
【００２０】
また、メダル払出し装置１０２の上方部には、リールベース１０３が固定されており、このリールベース１０３上に、リング状の３つのリール３１を並設した図柄変動表示装置３０が取り付けられている。そして、図柄変動表示装置３０における各リール３１の回転中心部には、ステッピングモータからなるリール３１の駆動用モータ（図示せず）がそれぞれ連結されており、各モータの駆動制御によって各リール３１が個別に回転するようになっている。
【００２１】
さらにまた、図柄変動表示装置３０の上方部には、メイン制御基板１０４が配置されている。このメイン制御基板１０４は、遊技の進行等の全体を制御する制御基板であり、図示はしないが、演算等を行うＣＰＵ、遊技プログラムを記憶したＲＯＭ、遊技用等のデータを一時的に記憶するＲＡＭ等を備えている。なお、メイン制御基板１０４は、外部からの不正を確実に防止できるように、透明なケース１０５内に収容された後にかしめされ、封印されている。
【００２２】
一方、フロントマスク部１２は、基体部１１の開口面を覆うようにして、基体部１１に開閉自在に取り付けられたものである。そのため、フロントマスク部１２は、スロットマシン１０の筐体の他の一部を構成する。そして、フロントマスク部１２には、図１に示すように、その前面側（遊技者側）に、ベットスイッチ４０、スタートスイッチ４１、ストップスイッチ４２、メダル投入口４３、メダル受け皿４４、及び施錠４５が配置されている。
【００２３】
このベットスイッチ４０は、メダル投入口４３からのメダルの投入と同様に、遊技者が貯留メダルを投入するときに操作するスイッチである。また、スタートスイッチ４１は、図２に示す図柄変動表示装置３０の各リール３１を回転始動させるときに遊技者が操作するスイッチである。さらにまた、各ストップスイッチ４２は、３つのリール３１に対応して３つ設けられ、対応する各リール３１を個別に停止させるときに遊技者が操作するスイッチである。さらに、施錠４５は、フロントマスク部１２を基体部１１に施錠し、フロントマスク部１２の不正な開放を防止するためのものである。
【００２４】
また、スタートスイッチ４１等の上方部には、遊技中における各種の演出が実行できるように、上部ランプ２１ａ及びサイドランプ２１ｂ、スピーカ２２、液晶表示器等からなる画像表示装置２３が設けられている。そして、フロントマスク部１２の中央部には、透明窓１３が設けられており、この透明窓１３から、基体部１１の内部の各リール３１（図２参照）が透視できるようになっている。
【００２５】
ここで、各リール３１（図２参照）の外周面には、複数の図柄（役を構成する図柄）を印刷したリールテープがそれぞれ貼り付けられている（図示せず）。具体的には、各リール３１には、リールテープによって２１個の図柄が表示されており、フロントマスク部１２の透明窓１３から、個々のリール３１において上下に連続する３つの図柄が見えるようになっている。そのため、透明窓１３からは、各リール３１の合計９個の図柄が透視できることとなる。そして、図柄組合せライン（各リール３１の停止時における図柄の並びラインであって図柄の組合せを形成させるライン）は、水平方向上段、中段、及び下段と、右下がり及び右上がりの斜め方向の各ラインの合計５本となっている。
【００２６】
また、フロントマスク部１２は、施錠４５にキーを差し込んで解くことにより、基体部１１から開放することができる。なお、フロントマスク部１２には、図２に示すように、その上方部に、遊技中における演出を制御するサブ制御基板１０６が配置されている。
【００２７】
このサブ制御基板１０６は、図１に示す上部ランプ２１ａやサイドランプ２１ｂ等の点灯、スピーカ２２からのサウンド出力、画像表示装置２３による画像表示等の各種の制御を行う。そのため、演算等を行うＣＰＵ、演出プログラム及び演出用のデータを記憶したＲＯＭ、各種のデータを一時的に記憶するＲＡＭ等を備えている。なお、サブ制御基板１０６は、メイン制御基板１０４の下位に属する基板であり、メイン制御基板１０４とは、図示しないハーネス（電気配線）によって電気的に接続されている。そして、メイン制御基板１０４からサブ制御基板１０６に対して演出実行指令等が送信されるようになっている。
【００２８】
さらにまた、フロントマスク部１２の後面側（裏面側）の下方部には、メダル投入口４３（図１参照）に対応して、メダルセレクタ１１０が配置されている。このメダルセレクタ１１０は、投入されたメダルが遊技状態等に応じて受付け可能であるか否かを選別する装置であり、メダルの受付けができる場合には、投入されたメダルは、メダル誘導路１０７を介してホッパータンク１０８に誘導され、貯留される。逆に、メダルの受付けができない場合には、投入されたメダルは、メダル返却路１０９を介してメダル受け皿４４（図１参照）に誘導され、返却される。
【００２９】
このようなスロットマシン１０において、遊技を開始するには、遊技者は、図１に示すベットスイッチ４０を操作して予め貯留されたメダルを投入するか、又はメダル投入口４３からメダルを投入し、スタートスイッチ４１を操作（オン）する。これにより、全てのリール３１が回転するように制御され、表示窓１３内で、各リール３１の図柄が所定の速度で上下方向に移動表示される。
【００３０】
その後、遊技者は、各ストップスイッチ４２を押すことで、各リール３１の回転を停止させることができる。すなわち、ストップスイッチ４２が操作されると、そのストップスイッチ４２に対応するリール３１が停止制御される。そして、全てのリール３１の停止時に、有効ライン上に停止した図柄の組合せが予め定められたいずれかの役の図柄の組合せと一致し、その役の入賞となったときは、成立役に応じてメダルの払出し等が行われる。なお、有効ラインとは、５本の図柄組合せラインのうち、いずれかの役に対応する図柄の組合せがそのラインに停止したときに、その役の入賞となるラインである。
【００３１】
ところで、このようなスロットマシン１０は、遊技店の島設備等に設置され、遊技に供されるが、古くなった台は、新台に入れ替えられる。そして、スロットマシン１０を簡単に島設備等に取付け及び取外しができるように、スロットマシン１０の筐体を構成する基体部１１の天面には、基体部１１の内側から外側に向けて突出する固定部材６０（図１参照）が設けられている。
【００３２】
図３は、図１に示すスロットマシン１０の筐体を構成する基体部１１を示す斜視図である。
図３に示すように、基体部１１は、ステンレス製等の左右の側面板金５１、天面板金５２、底面板金５３、及び背面板金５４を組み立てて、前面側が開口する箱形にしたものである。そして、左右の側面板金５１の間には、リールベース１０３が固定されている。
【００３３】
ここで、天面板金５２には、４つの貫通穴５５が形成されている。また、天面板金５２の内側には、貫通穴５５に対応して、固定部材６０が取り付けられている。そして、貫通穴５５から固定部材６０が突出するようになっている。なお、天面板金５２の表面には、化粧板（図示せず）が取り付けられるが、この化粧板にも、固定部材６０に対応する位置に貫通穴が形成されている。
【００３４】
図４は、図３に示す基体部１１（天面板金５２）の内側に取り付けられた固定部材６０ａを示す斜視図である。
また、図５は、固定部材６０ａを示す断面図である。
図４及び図５に示すように、固定部材６０ａは、天面板金５２の内側から外側に向けて突出可能なスリーブ７０と、天面板金５２の内側でスリーブ７０を上下動自在に保持するスリーブホルダ８０とを備えている。そして、スリーブ７０は、その内面側に中空部７１が形成されている。また、スリーブ７０は、天面板金５２に形成された貫通穴５５（図４（ａ）参照）の周囲に当接するフランジ部７２を備えている（図５（ｂ）参照）。
【００３５】
一方、スリーブホルダ８０は、スリーブ７０のフランジ部７２をガイドするガイド部８１を備えている。このガイド部８１は、図４に示すように、２つ並んで形成されており、それぞれがスリーブ７０を上下動自在に保持する。そして、貫通穴５５は、各ガイド部８１に合わせて２個１組で形成されている。したがって、各ガイド部８１に保持された２つのスリーブ７０は、各貫通穴５５のそれぞれに対応し、各貫通穴５５を通して天面板金５２から別々に突出できる（図５（ｂ）参照）。なお、２個１組の貫通穴５５は、図３に示すように、天面板金５２の両端部にそれぞれ形成されている。そのため、固定部材６０（６０ａ）を構成するスリーブホルダ８０は、天面板金５２に２つ（スリーブ７０は、４つ）取り付けられている。
【００３６】
また、スリーブホルダ８０は、図４（ｂ）に示すように、２つの突起８２及びネジ穴８３を備えている。この突起８２及びネジ穴８３は、スリーブホルダ８０を天面板金５２に取り付けるための取付け部を構成する。具体的には、各突起８２は、スリーブホルダ８０の対角線上の両端部に設けられており、図５に示すように、天面板金５２の内側に形成された凹部にはまり合う。そして、図４に示すように、天面板金５２の内側に形成された凸部にネジ穴８３を挿入した状態で取付けネジ６１をネジ込むことにより、スリーブホルダ８０が天面板金５２の内側に取り付けられる（図４（ａ）参照）。
【００３７】
さらにまた、スリーブホルダ８０は、図５に示すように、各ガイド部８１の端部に開口部８４を備えている。この開口部８４は、スリーブホルダ８０に保持されたスリーブ７０の中空部７１に対向するように形成されている。そして、開口部８４の周囲は、スリーブ７０のフランジ部７２の抜けを防止する抜止め部８５となっている。そのため、スリーブホルダ８０が天面板金５２の内側に取り付けられると、フランジ部７２が天面板金５２と抜止め部８５との間に保持された状態となる。その結果、スリーブ７０は、スリーブホルダ８０に上下動自在に保持されるだけでなく、スリーブホルダ８０からの抜けが防止される。なお、スリーブ７０のフランジ部７２がスリーブホルダ８０の抜止め部８５に当接していれば、スリーブ７０の先端部は、天面板金５２の外側に突出しなくなる（図５（ａ）参照）。
【００３８】
図６は、図４及び図５に示す固定部材６０ａにより、天面板金５２（筐体）を島設備２００に設置した状態を示す部分断面図である。
図６に示すように、天面板金５２の内側には、スリーブ７０及びスリーブホルダ８０によって構成される固定部材６０ａが設けられている。具体的には、固定部材６０ａは、２つのスリーブ７０ａ，７０ｂを上下動自在に保持するスリーブホルダ８０を天面板金５２の内側に取付けネジ６１で固定したものである。
【００３９】
ここで、島設備２００は、天面板金５２（筐体）を島設備２００の内面側に収容しやすいようにするため、島設備２００の内面と天面板金５２との間に一定の隙間ができるように配慮されたものとなっている。一方、島設備２００との固定に使われる前の状態にあるスリーブ７０は、その重さによってスリーブホルダ８０内に引っ込んでおり、スリーブ７０の先端部は、天面板金５２の外側に突出していない（スリーブ７０ｂの状態）。そのため、天面板金５２（筐体）は、島設備２００の内面側に簡単に収容できる。
【００４０】
また、スリーブホルダ８０の開口部８４には、固定ネジ６２を挿入できる。そして、開口部８４から固定ネジ６２を挿入すれば、固定ネジ６２の先端部がスリーブ７０ａの中空部７１（図５参照）を通って島設備２００の内面側に突き出るとともに、固定ネジ６２の頭部がスリーブ７０ａのフランジ部７２（図５参照）に当接する。そのため、固定ネジ６２を島設備２００の内面側にネジ込めば、ネジ込みにつれてスリーブ７０ａがスリーブホルダ８０のガイド部８１（図５参照）にガイドされながら上に向かって移動する。
【００４１】
上に移動したスリーブ７０ａは、貫通穴５５（図４（ａ）参照）を通って天面板金５２の内側から外側に向けて突出し、図６に示すように、島設備２００の内面側に当接するようになる。そのため、スリーブ７０ａは、固定ネジ６２によって島設備２００に固定されることとなる。その結果、天面板金５２（筐体）は、スリーブホルダ８０及び取付けネジ６１を介して島設備２００に取り付けられる。なお、スリーブ７０ａを固定した後であっても、天面板金５２（筐体）は、島設備２００との隙間分だけ上に移動できるが、スロットマシン１０（図１参照）に重量があるので、問題にはならない。
【００４２】
このように、天面板金５２（筐体）は、固定ネジ６２をネジ込むだけで簡単に島設備２００に設置できる。また、設置によって天面板金５２が変形することもない。逆に、固定ネジ６２を緩めて固定部材６０ａから取り外せば、スリーブ７０ａが島設備２００から離れ、スリーブ７０ａ自体の重さによってスリーブホルダ８０内に引っ込む。そのため、スリーブ７０ａと島設備２００との固定が解除されるだけでなく、天面板金５２と島設備２００の内面との間に一定の隙間ができる。したがって、天面板金５２（筐体）は、島設備２００から簡単に取り外せる。そして、取り外した天面板金５２（筐体）は、変形や破損等がないので、容易に再利用できる。
【００４３】
しかも、固定部材６０ａは、廃棄物とならず、固定ネジ６２を用いれば、スリーブ７０を再び島設備２００に固定することができる。また、取付けネジ６１を取り外せば、別の天面板金５２や底面板金５３に取り付けて再利用することもできる。なお、スリーブ７０ａを使って一度固定されたことがある島設備２００に天面板金５２（筐体）を取り付ける場合には、スリーブ７０ａではなく、スリーブ７０ｂを使うことにより、最初にスリーブ７０ａを使ったときと同じ固定強度を確保できる。
【００４４】
図７は、別形態の固定部材６０ｂを示す断面図である。
図７に示す固定部材６０ｂは、図５に示す固定部材６０ａと同様のスリーブホルダ８０を備えるものである。具体的には、スリーブホルダ８０は、スリーブ９０を上下動自在に保持する。そして、スリーブ９０のフランジ部９２をガイドするガイド部８１と、スリーブホルダ８０を天面板金５２に取り付けるための突起８２（本発明の取付け部を構成するもの）と、スリーブ９０の中空部９１に対向する開口部８４と、スリーブ９０のフランジ部９２の抜けを防止する抜止め部８５とを備えている。
【００４５】
一方、図７に示すスリーブ９０は、図５に示すスリーブ７０と同様に、内面側に中空部９１が形成されているが、バネ部材９３を備える点がスリーブ７０と相違する。このバネ部材９３は、上方に折返しを有するフランジ部９２と天面板金５２の内面との間に挿入され、スリーブ９０を天面板金５２の外側から内側に向けて付勢する。そのため、天面板金５２（筐体）を傾けたとしても、スリーブ９０の先端部が天面板金５２の外側に突出しないので、天面板金５２（筐体）を島設備２００（図６参照）の内面側に収容することが一層容易になる。
【００４６】
また、固定部材６０ｂを底面板金５３（図３参照）に取り付け、スリーブ９０の先端部を下に向けたとしても、バネ部材９３の付勢により、スリーブ９０の先端部は、天面板金５２の外側に突出しない。したがって、固定部材６０ｂを天面板金５２及び底面板金５３の両方に取り付け、筐体の上下を島設備２００（図６参照）に固定すれば、スロットマシン１０（図１参照）をより強固に設置することができる。そして、この場合であっても、天面板金５２及び底面板金５３（筐体）を容易に再利用でき、固定部材６０ｂが廃棄物になることもない。
【００４７】
以上、本発明の実施形態について説明したが、本発明は、上述した実施形態に限定されることなく、例えば、以下のような種々の変形が可能である。
（１）本実施形態では、本発明の遊技機の筐体として、スロットマシン１０の筐体に適用した例を示した。しかし、これに限ることなく、弾球遊技機等の筐体に適用することもできる。
【００４８】
（２）本実施形態では、固定部材６０（６０ａ，６０ｂ）のスリーブホルダ８０にガイド部８１を２つ並べて形成し、それぞれがスリーブ７０（９０）を上下動自在に保持するようにしているが、ガイド部８１を１つにしたり、３つ以上にすることもできる。また、天面板金５２や底面板金５３に対し、固定部材６０（６０ａ，６０ｂ）をいくつ取り付けてもよい。
【図面の簡単な説明】
【００４９】
【図１】本発明の遊技機の筐体を適用したスロットマシンを示す前面側の斜視図である。
【図２】図１中、スロットマシンのフロントマスク部を開放し、基体部の内部が見えるように図示した正面図である。
【図３】図１に示すスロットマシンの筐体を構成する基体部を示す斜視図である。
【図４】図３に示す基体部（天面板金）の内側に取り付けられた固定部材を示す斜視図である。
【図５】固定部材を示す断面図である。
【図６】図４及び図５に示す固定部材により、天面板金（筐体）を島設備に設置した状態を示す部分断面図である。
【図７】別形態の固定部材を示す断面図である。
【図８】従来のスロットマシンの基体部（筐体）を島設備に設置した状態を示す部分断面図である。
【符号の説明】
【００５０】
１０  スロットマシン（遊技機）
１１  基体部（筐体）
１２  フロントマスク部（筐体）
１３  透明窓
２１ａ  上部ランプ
２１ｂ  サイドランプ
２２  スピーカ
２３  画像表示装置
３０  図柄変動表示装置
３１  リール
４０  ベットスイッチ
４１  スタートスイッチ
４２  ストップスイッチ
４３  メダル投入口
４４  メダル受け皿
４５  施錠
５１  側面板金
５２  天面板金
５３  底面板金
５４  背面板金
５５  貫通穴
６０，６０ａ，６０ｂ  固定部材
６１  取付けネジ
６２  固定ネジ
７０，７０ａ，７０ｂ  スリーブ
７１  中空部
７２  フランジ部
８０  スリーブホルダ
８１  ガイド部
８２  突起（取付け部）
８３  ネジ穴（取付け部）
８４  開口部
８５  抜け止め部
９０  スリーブ
９１  中空部
９２  フランジ部
９３  バネ部材
１０１  電源ユニット
１０２  メダル払出し装置
１０３  リールベース
１０４  メイン制御基板
１０５  ケース
１０６  サブ制御基板
１０７  メダル誘導路
１０８  ホッパータンク
１０９  メダル返却路
１１０  メダルセレクタ
２００  島設備
２１０  筐体
２１１  固定ネジ
【図１】
0005170669.tif 000002
【図２】
0005170669.tif 000003
【図３】
0005170669.tif 000004
【図４】
0005170669.tif 000005
【図５】
0005170669.tif 000006
【図６】
0005170669.tif 000007
【図７】
0005170669.tif 000008
【図８】
0005170669.tif 000009